(57)【特許請求の範囲】
【請求項１】
データ入力装置と接続可能な画像記憶装置において、
記録媒体を着脱可能に接続する接続手段と、
前記記録媒体に記憶されている画像情報のリストを前記データ入力装置に送信する画像情報リスト送信手段と、
前記リストから選択された画像情報に対応する画像の要求を前記データ入力装置から受信する要求受信手段と、
前記選択された画像情報に対応する画像を前記データ入力装置に送信する画像情報送信手段と、
前記送信した画像の別名を前記データ入力装置から受信する別名受信手段と、
前記受信した別名を、前記送信した画像の別名として、前記記録媒体中の変換テーブルに登録する登録手段とを有し、
前記画像情報リスト送信手段は、別名が登録されている場合には、別名を送信することを特徴とする画像記憶装置。
【請求項２】
前記画像情報は、所定の規則に従って生成されたディレクトリ名の一部とファイル名の一部を用いて生成された文字列からなる画像ハンドル名であることを特徴とする請求項１に記載の画像記憶装置。
【請求項３】
前記画像情報送信手段は、前記要求受信手段が前記別名に対応する画像の要求を前記データ入力装置から受信すると、前記別名に対応する画像を前記データ入力装置に送信することを特徴とする請求項１に記載の画像記憶装置。
【請求項４】
データ入力装置と接続可能であり、記録媒体を着脱可能に接続する画像記憶装置のデータ登録プログラムにおいて、
該プログラムは、画像記憶装置に、
前記記録媒体に記憶されている画像情報のリストを前記データ入力装置に送信し、
前記リストから選択された画像情報に対応する画像の要求を前記データ入力装置から受信し、
前記選択された画像情報に対応する画像を前記データ入力装置に送信し、
前記送信した画像の別名を前記データ入力装置から受信し、
前記受信した別名を、前記送信した画像の別名として、前記記録媒体中の変換テーブルに登録する処理を実行させるためのプログラムであり、
前記画像情報リストを送信する処理において、別名が登録されている場合には、別名を送信することを特徴とする画像記憶装置のデータ登録プログラム。
【請求項５】
前記画像情報は、所定の規則に従って生成されたディレクトリ名の一部とファイル名の一部を用いて生成された文字列からなる画像ハンドル名であることを特徴とする請求項４に記載の画像記憶装置のデータ登録プログラム。
【請求項６】
前記画像情報を送信する処理では、前記要求を受信する処理において前記別名に対応する画像の要求を前記データ入力装置から受信すると、前記別名に対応する画像を前記データ入力装置に送信することを特徴とする請求項４に記載の画像記憶装置のデータ登録プログラム。
【発明の詳細な説明】
【０００１】
【発明の属する技術分野】
本発明は、データ入力装置と接続可能な画像記憶装置、及び、データ入力装置と接続可能であり、記録媒体を着脱可能に接続する画像記憶装置のデータ登録プログラムに関する。
【０００２】
【従来の技術】
デジタルスチルカメラ（Ｄｉｇｉｔａｌ  Ｓｔｉｌｌ  Ｃａｍｅｒａ，ＤＳＣ）の普及に伴って、撮影画像を他のＤＳＣで再生するニーズが高まってきている。
【０００３】
ＤＳＣで保存する画像のファイル名は、例えば日本電子工業振興会（ＪＥＩＤＡ）が策定したカメラファイルシステム規格（Ｄｅｓｉｇｎ  ｒｕｌｅ  ｆｏｒＣａｍｅｒａ  Ｆｉｌｅｓｙｓｔｅｍ，ＤＣＦ）など、該ＤＳＣが従う所定のカメラファイルシステムに従って決定される。
【０００４】
ＤＣＦに定められた規則に従って画像ファイルを保存する場合のファイルシステムの一例を図１５に示す。
【０００５】
図１５にあるように、画像ファイルは、ルートディレクトリ１３０１直下のＤＣＩＭディレクトリ１３０２以下に配置されたディレクトリ１３０３（以下該ディレクトリ１３０３をＤＣＦディレクトリ、ディレクトリ名をＤＣＦディレクトリ名とする）以下に所定の規則に従って命名されるファイル１３０４（以下該ファイル１３０４をＤＣＦファイル、ファイル名をＤＣＦファイル名とする）として保存される。
【０００６】
ＤＣＦディレクトリ１３０３のＤＣＦディレクトリ名は８文字からなる。１〜３文字目は「１００」から「９９９」の重複しない番号を取る。この番号を以下ディレクトリ番号と言う。４〜８文字目は半角英数大文字の任意の文字を用いることができる。
【０００７】
ＤＣＦファイル１０３４のＤＣＦファイル名は、３文字の拡張子と８文字からなるファイル名とからなる。ファイル名のうち、１〜４文字目は半角英数大文字のみを使用した任意の文字列をとることができる。５〜８文字目は「０００１」から「９９９９」の番号を使用する。以下、この番号をファイル番号と呼ぶ。３文字からなる拡張子は画像フォーマットの種別を示す。図１５では画像フォーマット種別がＪＰＥＧの場合を例に挙げている。画像フォーマット種別がＪＰＥＧの場合、拡張子はＪＰＧとなる。
【０００８】
また、ルートディレクトリ１３０１以下にＤＣＦディレクトリ名以外のディレクトリ名を持つディレクトリがあってもよい。図１５ではＭＩＳＣというディレクトリ名を持つディレクトリ１３０５が配置された場合を示している。
【０００９】
ＤＣＦなどのファイルシステムに従うＤＳＣ同士であれば、あるＤＳＣで撮影した画像を別のＤＳＣで再生することができる。
【００１０】
更に最近では、ＤＳＣで保存した画像を携帯電話やＰＤＡなど、ＤＳＣ以外の画像再生装置を用いて画像を再生したりするニーズが高まってきている。しかし、ＤＳＣが画像を保存するために用いる着脱可能なメモリはＣＦ（コンパクトフラッシュ）カードや、ＭＭＣ（マルチメディアカード）などさまざまであり、画像再生装置では使用できない着脱可能なメモリもある。
【００１１】
着脱可能なメモリを装着できない画像再生装置で画像を再生するための手段として、ＤＳＣと画像再生装置に近距離無線通信手段を持たせる方法が考案されている。ＤＳＣと画像再生装置とを近距離無線通信を用いて接続することで、ＤＳＣに保存されている画像を画像再生装置で再生させようとするものである。
【００１２】
しかし、一般的に画像再生装置は、ＤＣＦなど所定のカメラファイルシステムに従ったファイルシステムをサポートしていないので、近距離無線通信を用いて画像再生装置でＤＳＣに保存されている画像を再生する場合は、ＤＳＣと画像再生装置の両方に画像ファイルを一意に決定できるような規則を持たせる必要がある。
【００１３】
例えば、図１６に示すように、ディレクトリ番号とファイル番号とからなる一連の数字（１４０２）を用いて画像ファイル１４０１を指定するようにすれば、ＤＣＦに従って命名された画像ファイル１４０１を一意に決定することができる。以下ディレクトリ番号とファイル番号とからなる一連の数字（１４０２）で決定される画像ファイル名を、画像ハンドル名と呼ぶこととする。ディレクトリ番号は一意の値であるので、ディレクトリ番号とファイル番号とからなる画像ハンドル名１４０２を指定すれば、数字７文字という短い文字数で画像を特定することが可能である。
【００１４】
画像再生装置は、近距離無線通信を用いてＤＳＣと接続し、画像ハンドル名１４０２を用いて画像を指定することで、所望の画像を再生することが可能となる。
【００１５】
【発明が解決しようとする課題】
しかし、図１６の方法では、所望の画像を指定するのに用いられる画像ハンドル名１４０２を見ても、画像ハンドル名１４０２は数字のみからなるので、指定した画像が何を撮影したものなのかは画像を再生するまで確認することができない。
【００１６】
【課題を解決するための手段】
本発明は、上記課題を解決するためになされたもので、記録媒体を着脱可能に接続する接続手段と、前記記録媒体に記憶されている画像情報のリストを前記データ入力装置に送信する画像情報リスト送信手段と、前記リストから選択された画像情報に対応する画像の要求を前記データ入力装置から受信する要求受信手段と、前記選択された画像情報に対応する画像を前記データ入力装置に送信する画像情報送信手段と、前記送信した画像の別名を前記データ入力装置から受信する別名受信手段と、前記受信した別名を、前記送信した画像の別名として、前記記録媒体中の変換テーブルに登録する登録手段とを有し、前記画像情報リスト送信手段は、別名が登録されている場合には、別名を送信することを特徴とする。
【００１７】
本発明を用いることで、別名を着脱可能な記録媒体に登録するので、記録媒体を他の装置に装着した場合でも、別名を用いて画像操作をすることが可能となる。
【００１８】
所定の規則に従って命名された画像の名前を残すことにより、画像の記憶されたメモリを前記所定の規則に従う装置に装着した場合でも、前記所定の規則に従って画像を操作することが可能となる。
【００１９】
【発明の実施の形態】
以下、本発明の実施の形態に係る画像通信システムを図面に基づいて詳細に説明する。
【００２０】
図１は、本発明の実施の形態に係る画像通信システムの全体構成を示す図である。ここでは、撮像装置（画像記憶装置）１００が記憶している画像を、画像表示装置（データ入力装置）３００で操作する形態を説明する。撮像装置１００は、好ましくは着脱可能なメモリに記憶された画像を扱うことのできる装置であり、例えば、デジタルスチルカメラ、デジタルビデオカメラ等などであるが、以下、撮像装置１００としてデジタルスチルカメラを用いた場合を例示して説明する。同様にして、画像表示装置３００は、データ入力のための操作性が撮像装置１００よりも優れた装置であり、例えば、携帯電話機、ＰＤＡ、コンピュータなどであるが、以下、画像表示装置３００として携帯電話機を用いた場合を例示して説明する。
【００２１】
図１において、撮像装置１００と画像表示装置３００とは、近距離無線通信の方法としてスペクトラム拡散方式などの近距離無線通信手段を用いて相互にコマンド、撮影画像を含むデータを送受信することができる。また、他の形態では、撮像装置１００と画像表示装置３００とは、赤外線通信を用いて相互にコマンド、撮影画像を含むデータを送受信することができる。
【００２２】
図２は、図１における撮像装置（画像記憶装置）１００及び画像表示装置（データ入力装置）３００の外観図である。
【００２３】
図２において、撮像装置１００は、撮像レンズ１０、フラッシュ４８、シャッタボタン６４、操作部７０、光学ファインダ１０４等を筺体各部に装備する。画像表示装置３００は、マイク３１０、スピーカ３１８、アンテナ３２８、表示部３６０、操作部３６２等を筺体各部に装備している。また、撮像装置１００はスロットを有し、記録媒体１２０をスロットの中に収容することができる。
【００２４】
近距離無線通信による通信は、後述する様に、撮像装置１００に内蔵された近距離無線通信回路１１０と画像表示装置３００内蔵された近距離無線通信回路３３０とによって実行される。
【００２５】
図３は、図１における撮像装置（画像記憶装置）１００の概略構成を示すブロック図である。撮像装置１００は、着脱可能な記憶媒体１２０に、データを書き込み、また、記憶されたデータを読み出すことができる。
【００２６】
図３において、撮影レンズ１０は、被写体の光学像を取り込む。シャッタ１２は、絞り機能を備える。撮像素子１４は、撮影レンズ１０を介して取り込んだ光学像を電気信号に変換する。Ａ／Ｄ変換器１６は、撮像素子１４のアナログ信号出力をディジタル信号に変換する。
【００２７】
Ａ／Ｄ変換器１６のデータが、画像処理回路２０、メモリ制御回路２２を介して、或いはＡ／Ｄ変換器１６のデータが直接メモリ制御回路２２を介して、画像表示メモリ２４或いはメモリ３０に書き込まれる。画像表示メモリ２４に書き込まれた表示用の画像データは、Ｄ／Ａ変換器２６を介して画像表示器２８により表示される。
【００２８】
タイミング発生回路１８は、撮像素子１４、Ａ／Ｄ変換器１６、Ｄ／Ａ変換器２６にクロック信号や制御信号を供給する。
【００２９】
画像処理回路２０は、撮像した画像データを用いて所定の演算処理を行い、得られた演算結果に基づいてシステム制御回路５０が、露光制御手段４０、測距制御手段４２に対して制御を行うＡＦ（オートフォーカオートフォーカス）処理、ＡＥ（自動露出）処理を行っている。
【００３０】
メモリ３０は、撮影した静止画像や動画像を格納する。また、メモリ３０は、近距離無線通信回路１１０を介して画像表示装置３００から受信した情報を記憶することができる。メモリ３０は、システム制御回路５０の作業領域としても使用することが可能である。
【００３１】
圧縮・伸長回路３２は、メモリ３０に格納された画像を読み込んで圧縮処理或いは伸長処理を行い、処理を終えたデータをメモリ３０に書き込む。
【００３２】
システム制御回路５０は、撮像装置１００全体を制御する。メモリ５２は、システム制制御回路５０の動作用の定数、変数、プログラム等を記憶する。
【００３３】
識別情報５８には、近距離無線通信回路１１０、アンテナ１１２を介して画像表示装置３００と通信を行う際に通信に先立って認証を行うための各種識別情報が格納されている。
【００３４】
シャッタスイッチ６２は、シャッタボタン６４の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示するＳＷ１と、シャッタボタン６４の操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体１２０に画像データを書き込む記録処理という一連の処理の動作開始を指示するＳＷ２を有する。
【００３５】
操作部７０は、撮影モード、再生モード、ＰＣ（パーソナルコンピュータ）接続モード等の各機能モードを切り替え設定することができるモードダイヤルスイッチ、セットボタン等である。
【００３６】
近距離無線通信回路１１０は、スペクトラム拡散通信などの各種近距離高速データ通信機能を有する。アンテナ１１２は、近距離無線通信回路１１０により撮像装置１００を他の機器と接続する。近距離無線通信回路１１０は、アンテナ１１２を介して、他の機器に無線信号を送信する手段と、他の機器からの無線信号を受信する手段を有する。
【００３７】
インタフェース１２８は、メモリカードやハードディスク等の記録媒体１２０とのインタフェースを司る。コネクタ１２７は、メモリカードやハードディスク等の記録媒体１２０との接続を行う。
【００３８】
インタフェース１２８及びコネクタ１２７としては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ）カード、ＭＭＣ（マルチメディアカード）等の規格に準拠したものを用いて構成してもよい。
【００３９】
更に、インタフェース１２８、そしてコネクタ１２７をＰＣＭＣＩＡカードやＣＦカード等の規格に準拠したものを用いて構成した形態では、ＬＡＮカードやモデムカード、ＵＳＢカード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カード、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ等の各種通信カードを接続することにより、他のコンピュータやプリンタ等の周辺機器との間で画像データや画像データに付属した管理情報を転送し合うことができる。この形態では、近距離無線通信回路１１０によらず、他の通信手段で、他の機器と通信することができる。近距離無線通信回路１１０をこのコネクタ１２７を介して、撮像装置１００に接続するように構成してもよい。
【００４０】
記録媒体１２０は、メモリカードやハードディスク等から構成されている。記録媒体１２０は、半導体メモリや磁気ディスク等から構成される記録部１２２、撮像装置１００とのインタフェース１２４、撮像装置１００と接続を行うコネクタ２０６、識別情報１２９を備えている。
【００４１】
図４は、図１における画像表示装置（データ入力装置）３００の詳細構成を示すブロック図である。
【００４２】
図４において、マイク３１０は、音声を電気信号に変換する。Ａ／Ｄ変換器３１２は、マイク３１０のアナログ出力信号をディジタル信号に変換する。メモリ制御回路３１４は、Ａ／Ｄ変換器３１２の出力データのメモリ３２０への書き込み／読み出し、メモリ３２０から読み出されたデータのＤ／Ａ変換器３１６への入力を制御する。Ｄ／Ａ変換器３１６は、ディジタル信号をアナログ信号に変換する。スピーカ３１８は、電気信号を音声信号に変換する。
【００４３】
メモリ３２０は、マイク３１０で入力した音声及び或いは撮像装置１００から送信された静止画像や動画像を格納する。Ｄ／Ａ変換器３２２は、メモリ３２０に格納された静止画像データや動画像データをアナログ信号に変換する。画像表示器３２４は、Ｄ／Ａ変換器３２２の出力画像信号を表示する。
【００４４】
網通信回路３２６は、ＴＤＭＡ（Ｔｉｍｅ  Ｄｉｖｉｓｉｏｎ  Ｍｕｌｔｉｐｌｅ  Ａｃｃｅｓｓ：時分割多重）、ＣＤＭＡ（Ｃｏｄｅ  Ｄｉｖｉｓｉｏｎ  Ｍｕｌｔｉｐｌｅ  Ａｃｃｅｓｓ：符号分割多重）、Ｗ−ＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ：広帯域符号分割多重）等の各種遠距離無線通信機能を有する。アンテナ３２８は、網通信回路３２６により画像表示装置３００を他の通信装置（不図示）及び或いは通信基地局（不図示）と回線接続する。
【００４５】
近距離無線通信回路３３０は、スペクトラム拡散通信などの各種近距離高速データ通信機能を有する。アンテナ３３２は、近距離無線通信回路３３０により画像表示装置３００を他の機器と接続する。近距離無線通信回路３３０は、アンテナ３３２を介して、他の機器に無線信号を送信する手段と、他の機器からの無線信号を受信する手段を有する。
【００４６】
通信システム制御回路３５０は、画像表示装置３００全体を制御する。メモリ３５２は、通信システム制御回路３５０の動作用の定数、変数、プログラム等を記憶する。
【００４７】
識別情報３５６には、近距離無線通信回路３３０、アンテナ３３２を介して撮像装置１００と通信を行う際に通信に先立って認証を行うための各種識別情報が格納されている。表示器３６０は、通信システム制御回路３５０でのプログラムの実行に応じて、文字、画像、音声等を用いて動作状態やメッセージ等を表示する液晶表示装置、スピーカ等であり、画像表示装置３００に単数或いは複数設置され、例えばＬＣＤやＬＥＤ、発音素子等の組み合わせにより構成されている。
【００４８】
操作部３６２は、通信システム制御回路３５０の各種の動作指示を入力するためのものであり、スイッチやダイアル、タッチパネル、音声認識装置等の単数或いは複数の組み合わせで構成される。操作部３６２によれば、画像表示装置３００の電源オン／オフ、通話の実行（オフフック）／停止（オンフック）、電話番号入力、電話番号検索、通信モード切り替え等の操作を行うことができる。
【００４９】
以上のように、図３の撮像装置１００は、撮影レンズ１０を通して撮像した画像データを記録媒体１２０に記憶し、近距離無線通信回路１１０、アンテナ１１２を介して図４の画像表示装置３００に送信し、画像表示装置３００は、アンテナ３３２、近距離無線通信回路３３０を介して受信した画像データを画像表示器３２４に表示することができる。
【００５０】
また、撮像装置１００は、近距離無線通信回路１１０によって画像表示装置３００から受信した情報などを着脱可能な記録媒体１２０に記録すると共に、その情報を画像表示器２８に表示できる。
【００５１】
上記構成を有する画像通信システムにおける別名設定時の動作を示す。
【００５２】
図５から図７は、画像表示装置（データ入力装置）３００における別名設定処理プログラムを示すフローチャートである。この処理プログラムは、メモリ３５２に格納されており、通信システム制御回路３５０によって実行される。通信システム制御回路３５０は、この処理プログラムをメモリ３５２から読み出して実行するコンピュータである。メモリ３５２は、通信システム制御回路３５０が読み出すことができるように、この処理プログラムを記憶した記憶媒体である。以下、このプログラムを実行する通信システム制御回路３５０の制御の元に、画像表示装置３００が行う動作を説明する。
【００５３】
画像表示装置３００は、操作部３６２で別名設定を選択されると、近距離無線通信回路３３０を用いて撮像装置１００に対して近距離無線通信接続要求を送信し（ステップＳ５０１）、撮像装置１００からの近距離無線通信接続応答を近距離無線通信回路３３０で受信するまで待つ（ステップＳ５０２）。
【００５４】
近距離無線通信接続応答を受信したら、その応答の内容を確認し、接続ができたかどうかを調べる（ステップＳ５０３）。接続不可の場合は、接続できなかったことを表示器３６０に表示し（ステップＳ５０４）、再接続するかどうかを確認するメッセージを表示器３６０に表示する（ステップＳ５０５）。操作部３６２から再接続が選択された場合は、ステップＳ５０１以降を繰り返す。ステップＳ５０５において、再接続が選択されなかった場合は処理を終了する。
【００５５】
ステップＳ５０３において、近距離無線通信の接続が成功した場合は、接続できたことを表示部３６０に表示する（ステップＳ５０６）。そして、画像ハンドル名一覧獲得要求を近距離無線通信回路３３０から撮像装置１００に送信し（ステップＳ５０７）、撮像装置１００からの画像ハンドル名一覧獲得応答を近距離無線通信回路３３０で受信するまで待つ（ステップＳ５０８）。
【００５６】
ステップＳ５０８において画像ハンドル名一覧獲得応答を受信したら、その応答の中に画像ハンドル名があるかどうかを調べる（ステップＳ５０９）。画像ハンドル名がない場合は、画像ハンドル名がないことを表示部３６０に表示して（ステップＳ５１０）、後述するステップＳ５２７以降の近距離無線通信切断処理を実行する。
【００５７】
ステップＳ５０９において、画像ハンドル名の一覧があった場合は、画像ハンドル名一覧を表示器３２４に表示し（ステップＳ５１１）、画像ハンドル名一覧の中から表示したい画像があれば画像ハンドル名を選択するよう表示部３６０に表示を行う（ステップＳ５１２）。ステップＳ５１１で表示される画像ハンドル名一覧は、例えば、図１２に示される画像ハンドル名一覧８２０である。画像ハンドル名が操作部３６２で選択されたら、サムネイル画像獲得要求を近距離無線通信回路３３０から撮像装置１００に送信して、選択された画像ハンドル名に対応するサムネイル画像を要求し（ステップＳ５１３）、サムネイル画像獲得応答を受信するまで待つ（ステップＳ５１４）。
【００５８】
撮像装置１００からのサムネイル画像獲得応答を近距離無線通信回路３３０で受信したら、その受信した応答の中にサムネイル画像があるかどうかを調べる（ステップＳ５１５）。サムネイル画像がない場合はサムネイル画像なしと表示器３６０に表示し（ステップＳ５１９）、処理を終了するかどうかを尋ねる表示を表示器３６０で行う（ステップＳ５２０）。処理の終了が選択された場合は後述するステップＳ５２７以降の近距離無線通信切断処理を実行する。処理の続行が選択された場合はステップＳ５１１以降を繰り返す。
【００５９】
ステップＳ５１５において、サムネイル画像がある場合は、サムネイル画像を表示器３２４に表示する（ステップＳ５１６）。ステップＳ５１６の後、およびステップＳ５１２で画像を表示しないことが選択された場合において、選択した画像ハンドル名に別名をつけるかどうかを尋ねる表示を表示器３６０に行う（ステップＳ５１７）。別名の設定が操作部３６２で選択されなかった場合はステップＳ５２０以降を実行する。
【００６０】
ステップＳ５１７において、選択した画像ハンドル名に別名を設定することが選択された場合は、操作部３６２からの別名の入力が終了するまで待つ（ステップＳ５１８）。例えば、使用者は、画像ハンドル名１００９９９９を選択し、これに対応する別名、例えば、ＢＩＲＴＨＤＡＹを、操作部（キーボード）３６２のテンキーから別名を入力する。この選択された画像は、例えば、ステップＳ５１６で画像を表示した場合は、表示した画像である。
【００６１】
別名の入力が終了したら、別名を設定する画像ハンドル名１００９９９９、別名ＢＩＲＴＨＤＡＹを含む別名設定要求を近距離無線通信回路３３０から撮像装置１００に送信し（ステップＳ５２１）、別名設定応答を受信するまで待つ（ステップＳ５２２）。撮像装置１００からの別名設定応答を近距離無線通信回路３３０で受信したら、その応答の内容を確認し、別名の設定が完了したかどうかを調べる（ステップＳ５２３）。設定が完了した場合は別名の設定が終了したことを表示器３６０に表示する（ステップＳ５２４）。
【００６２】
ステップＳ５２３において、別名の設定が完了しなかった場合は再度別名の設定を行うかどうかを尋ねる表示を表示器３６０に行う（ステップＳ５２５）。操作部３６２で再設定が選択された場合はステップＳ５１８以降を繰り返す。
【００６３】
ステップＳ５２４実行後、およびステップＳ５２５で別名の再設定が選択されなかった場合、別名設定の処理を終了するかどうかを尋ねる表示を表示器３６０に行う（ステップＳ５２６）。処理を終了しない場合はステップＳ５１１以降を繰り返す。
【００６４】
ステップＳ５２６で処理の終了が選択された場合は、近距離無線通信切断要求を近距離無線通信回路３３０から撮像装置１００に送信する（ステップＳ５２７）。撮像装置１００からの近距離無線通信切断応答を近距離無線通信回路３３０で受信したら（ステップＳ５２８）、近距離無線通信処理の終了を表示器３６０に表示して処理を終了する。
【００６５】
図８から図１２を用いて撮像装置（画像記憶装置）１００における別名設定時の処理を説明する。
【００６６】
図８および図９は撮像装置１００における別名設定処理手順を示すフローチャートである。この処理プログラムは、撮像装置１００内のメモリ５２に格納されており、システム制御回路５０によって実行される。システム制御回路５０は、この処理プログラムをメモリ５２から読み出して実行するコンピュータである。メモリ５２は、システム制御回路５０が読み出すことができるように、この処理プログラムを記憶した記憶媒体である。以下、このプログラムを実行するシステム制御回路５０の制御の元に、撮像装置１００が行う動作を説明する。
【００６７】
なお、本実施の形態では、撮像装置１００が、図１０に示すようなファイルシステムにおいて６つの画像ファイル８０１を有する場合を例に取って説明する。図１０において、ディレクトリ名および画像ファイル名は、画像の撮影時にＤＣＦの規則に従った順序で生成され、記憶媒体１２０に記憶される。撮影された画像は、画像ファイル８０１中に格納される。
【００６８】
画像ハンドル名８０２と別名８０３の変換テーブルは、図１０に示すファイルシステムにおいて、ルートディレクトリ８００直下のＭＩＳＣディレクトリ８１１の中にＡＬＩＡＳ．ＴＸＴというファイル名で保存されているものとする。図１０のファイルシステムのうち、画像ハンドル名８０２と別名８０３以外は、記録媒体１２０の記録部１２２に記憶されている。なお、変換テーブル保存ファイル８１２は、記録部１２２に記憶されている。
【００６９】
図１１は、別名変換テーブル保存ファイル（ＡＬＩＡＳ．ＴＸＴ）８１２の内容を示したものである。図１２は、撮像装置１００が別名変換テーブルを元に生成する画像ハンドル名一覧８２０の内容の一例を示す図である。
【００７０】
まず、撮像装置１００は、画像表示装置３００からの近距離無線通信接続要求を近距離無線通信回路１１０で受信したら（ステップＳ７０１）、自装置が接続可能かどうかを調べる（ステップＳ７０２）。近距離無線通信接続ができない場合は接続不可を設定した装置間接続応答を近距離無線通信回路１１０から画像表示装置３００に送信して（ステップＳ７０３）、処理を終了する。
【００７１】
ステップＳ７０２において、近距離無線通信接続ができる場合は接続完了を設定した送信した装置間接続応答を近距離無線通信回路１１０から画像表示装置３００に送信する（ステップＳ７０４）。
【００７２】
画像表示装置３００からの画像ハンドル名一覧獲得要求を近距離無線通信回路１１０で受信したら（ステップＳ７０５）、所定のファイルシステムに従って記録媒体１２０に記憶されている画像の画像ファイル名を検索、獲得して、画像ハンドル名８０２を生成する。ＤＣＦディレクトリおよびＤＣＦファイル８０１は、記録媒体１２０に記憶されており、撮像装置１００は、ＤＣＦディレクトリ名の１〜３文字目（ディレクトリ番号）およびＤＣＦファイル名８０１の５〜８文字目（ファイル番号）を組み合わせて、画像ハンドル名８０２を生成する。
【００７３】
次に、生成した画像ハンドル名８０２を元に別名変換テーブル保存ファイル（ＡＬＩＡＳ．ＴＸＴ）８１２を検索して、生成した画像ハンドル名８０２に対応する別名が別名変換テーブル保存ファイル８１２に設定されていれば、画像ハンドル名の代わりに別名を用いて画像ハンドル名一覧８２０を生成する（ステップＳ７０６）。画像ハンドル名一覧８２０が生成されたら、生成した画像ハンドル名一覧８２０を含む画像ハンドル名一覧応答を近距離無線通信回路１１０から画像表示装置３００に送信する（ステップＳ７０７）。図１２は、図１０，１１に示した画像ハンドル名８０２、別名８０３を有する場合の画像ハンドル名一覧８２０の一例である。なお、記録媒体１２０に画像が記憶されていない場合、空の画像ハンドル名一覧応答を画像表示装置３００に送信する。
【００７４】
ここでは、画像表示装置３００からの画像ハンドル名一覧獲得要求を受信したときに、画像ハンドル名一覧８２０を生成する形態を説明したが、他の形態では、別名が設定されたとき、および、画像が記録媒体１２０に記憶されたときに、画像ハンドル名一覧８２０を生成し、ＭＩＳＣディレクトリ８１１の下のファイルに保存しておく。
【００７６】
画像表示装置３００からのサムネイル画像獲得要求を近距離無線通信回路１１０で受信したら（ステップＳ７０８）、この獲得要求に設定されている画像ハンドル名もしくは別名を調べ、自装置が、設定された画像ハンドル名８０１もしくは別名８０２を有する画像ファイルを記録装置媒体１２０内に有するかどうかを調べる（ステップＳ７０９）。
【００７７】
設定された画像ハンドル名もしくは別名を有する画像ファイルを自装置が持たない場合は、結果として指定されたファイルがない旨を設定し（ステップＳ７１０）、設定された画像ハンドル名もしくは別名を有する画像ファイルを有する場合は指定されたサムネイル画像を設定して（ステップＳ７１１）、ステップＳ７１０又はＳ７１１で設定されたサムネイル画像獲得応答を送信する（ステップＳ７１２）。ここでは、画像表示装置３００からサムネイル（小見出し用画像）を要求し、撮像装置１００からサムネイルを送信したが、画像表示装置３００からフル画像を要求し、撮像装置１００からフル画像を送信してもよい。
【００７８】
画像表示装置３００からの別名設定要求を近距離無線通信回路１１０で受信したら（ステップＳ７１３）、受信した別名設定要求に設定されている画像ハンドル名と別名を取り出す。そして、画像ハンドル名８０２と別名８０３の別名変換テーブルを保存したファイル８１２を調べて、受信した別名設定要求で指定された画像ハンドル名がファイル８１２中に有るかどうか、および、受信した別名設定要求で指定された別名が他の画像ハンドル名の別名として使用されていないかどうかを調べる（ステップＳ７１４）。指定された画像ハンドル名がある場合、かつ、指定された別名が使用されていない場合は、受信した別名設定要求の内容にしたがって、画像ハンドル名と別名変換テーブルを保存したファイル８１２を更新する（ステップＳ７１５）。
【００７９】
例えば、画像ハンドル名１００９９９９と別名ＢＩＲＴＨＤＡＹを含む別名設定要求を受信すると、画像ハンドル名１００９９９９と別名ＢＩＥＴＨＤＡＹをファイル８１２に登録する。この登録により、画像ハンドル名１００９９９９の画像（ファイル名ＡＢＣＤ９９９９の画像）に、別名ＢＩＲＴＨＤＡＹが設定される。
【００８０】
この別名が設定される画像は、フル画像、もしくはサムネイル（小見出し用画像）である。
【００８１】
ステップＳ７１４において別名の設定が成功した場合は、設定応答の結果に別名設定成功を設定し（ステップＳ７１６）、別名の設定が失敗した場合は設定応答の結果に別名設定失敗を設定して（ステップＳ７１７）、別名設定応答を近距離無線通信回路１１０から画像表示装置３００に送信する（ステップＳ７１８）。
【００８２】
画像表示装置３００からの装置間切断要求を近距離無線通信回路１１０で受信したら（ステップＳ７１９）、装置間切断応答を近距離無線通信回路１１０から画像表示装置へ送信して（ステップＳ７２０）、処理を終了する。
【００８３】
上記画像ハンドル名一覧要求、別名設定要求、サムネイル画像獲得要求は、ステップＳ７０１で近距離無線通信接続要求を受信して近距離無線通信が確立してから、ステップＳ７１９で近距離無線通信切断要求を受信して近距離無線通信が切断されるまでの間であれば、何度受信してもよい。また、受信する順序は、上記手順に記載された順番に限らない。
【００８４】
前述の別名設定処理以降、利用者が前記画像表示装置３００の操作部３６２を操作して、画像表示装置３００の表示器３２４に撮像装置１００が有する記憶媒体１２０に記憶されている画像ハンドル名のリスト８２０を表示させる場合、前記撮像装置１００は前記記憶媒体１２０に記憶されている変換テーブル８１２を参照し、別名と対応付けされている画像ハンドル名については画像ハンドル名の代わりに別名を用いて画像ハンドル名一覧８２０を作成し、近距離無線通信回路１１０から前記画像表示装置３００に画像ハンドル名一覧８２０を転送する。これにより、図１３に示されるように、前記画像表示装置３００の表示器３２４上には別名を含んだ画像ハンドル名一覧８２０が表示される。
【００８５】
なお、画像ハンドル名一覧８２０は、別名が記憶媒体１２０に登録されたとき、および、画像を記憶媒体１２０に記憶したときに、記憶媒体１２０中に、保存しておいてもよい。
【００８６】
また、前記画像表示装置３００の表示器３２４上に表示された前記画像ハンドル名一覧８２０の中からある別名が、利用者が操作部３６３を操作することによって、選択され、該別名を有するサムネイル画像を要求された場合、前記撮像装置１００は前記変換テーブル８１２を用いて該別名に対応する画像ハンドル名の画像ファイルが選択されたものと判断し、その選択された画像ファイル名の画像を、記録媒体１２０から読み出して、近距離無線通信回路１１０を介して前記画像表示装置３００に送信する。前記画像表示装置１００には受信した前記画像を表示させる。
【００８７】
このとき、本発明のある形態では、図１４に示すように、表示器３２４に別名と画像を対応付けて表示する。
【００８８】
以上のように、撮像装置（画像記憶装置）１００は、装着された記憶媒体１２０に記憶された画像ファイル８０１を指定するための画像ハンドル名８０２を生成し、画像表示装置（データ入力装置）３００に、画像ハンドル名８０２のリストを送信する。撮像装置１００は、画像ハンドル名８０２に対応する別名がファイル８１２に登録されている場合は、このリストに、別名を載せる。画像表示装置３００は、受信した画像ハンドル名８０２のリストを表示する。使用者は、画像表示装置３００の操作部３６２を操作し、リストに含まれる画像ハンドル名の１つを選択して、選択した画像ハンドル名に対応する別名８０３を入力する。画像表示装置３００は、入力された別名を、撮像装置１００に送信して、撮像装置１００に装着された記憶媒体１２０のファイル８１２に登録する。
【００８９】
このように、前記画像表示装置３００では、あたかも別名が画像ファイル名であるかのように振舞われることで、画像表示装置３００を用いる画像閲覧時の操作性を向上させることができる。
【００９０】
さらに、撮像装置１００は、画像ファイルとは別に画像ハンドル名と別名の変換テーブル８１２を持つが、この変換テーブル８１２は、ルートディレクトリ８００以下のＤＣＦディレクトリ名以外のディレクトリ名を持つディレクトリ（例えば、ＭＩＳＣ）に記憶するので、変換テーブル８１２は、撮像装置１００が従うファイルシステム（ＤＣＩＭディレクトリ以下のディレクトリ）に変更を加えるものではない。従って、この変換テーブル８１２が記憶された記憶媒体１２０を、この変換テーブル８１２を用いない装置に接続して、この記憶媒体１２０に記憶されている画像を再生する場合は、この装置が有するファイルシステムの規則に従って、ＤＣＩＭディレクトリ以下のＤＣＦディレクトリに記憶されたＤＣＦファイル８０１から、画像ハンドル名８０２（あるいは、ＤＣＦファイル名）を用いて、画像を読み出し、再生することができる。
【００９１】
【発明の効果】
本発明によれば、別名を着脱可能な記録媒体に登録するので、記録媒体を他の装置に装着した場合でも、画像の検索などの操作がしやすくなり、操作性が向上する。
【００９２】
さらに、所定の規則に従って命名された画像の名前を残すことにより、画像の記憶されたメモリを前記所定の規則に従う装置に装着した場合でも、前記所定の規則に従って画像を操作することが可能であり、利便性が向上する。
【図面の簡単な説明】
【図１】本発明の実施の形態に係る画像通信システムの全体構成を示す図である。
【図２】図１における撮像装置及び通信装置の外観図である。
【図３】図１における撮像装置１００の概略構成を示すブロック図である。
【図４】図１における画像表示装置３００の詳細構成を示すブロック図である。
【図５】図１における画像表示装置３００の別名設定処理手順を示すフローチャートである。
【図６】図５に続く画像表示装置３００の別名設定処理手順を示すフローチャートである。
【図７】図６に続く画像表示装置３００の別名設定処理手順を示すフローチャートである。
【図８】図１における撮像装置１００の別名設定処理手順を示すフローチャートである。
【図９】図８に続く撮像装置１００の別名設定処理手順を示すフローチャートである。
【図１０】撮像装置１００が有する画像ファイルのディレクトリ構成を示す概略図である。
【図１１】撮像装置１００が有する画像ハンドル名と別名変換テーブルを格納するファイルの内容の一例を示す図である。
【図１２】撮像装置１００が生成する画像ハンドル名一覧の内容の一例を示す図である。
【図１３】画像表示装置３００において画像ハンドル名一覧を表示した場合の一例を示した図である。
【図１４】画像表示装置３００においてサムネイル画像を表示した場合の一例を示した図である。
【図１５】撮像装置が従うファイルシステムの一例を示した図である。
【図１６】撮像装置が従うファイルシステムに従って命名された画像ファイルを一意に決定する方法の一例を示した図である。
【符号の説明】
５０  システム制御部
１００  撮像装置
１１０  近距離無線通信回路
３００  通信装置
３３０  近距離無線通信回路
【図１】
0003658370.tif 000002
【図２】
0003658370.tif 000003
【図３】
0003658370.tif 000004
【図４】
0003658370.tif 000005
【図５】
0003658370.tif 000006
【図６】
0003658370.tif 000007
【図７】
0003658370.tif 000008
【図８】
0003658370.tif 000009
【図９】
0003658370.tif 000010
【図１０】
0003658370.tif 000011
【図１１】
0003658370.tif 000012
【図１２】
0003658370.tif 000013
【図１３】
0003658370.tif 000014
【図１４】
0003658370.tif 000015
【図１５】
0003658370.tif 000016
【図１６】
0003658370.tif 000017